(57)【特許請求の範囲】
【請求項１】
記憶部と、外部の装置のウェブブラウザーに表示させるための情報であって任意のメッセージである表示用情報を外部から受信することによって入力される表示用情報入力手段と、前記表示用情報入力手段によって入力された前記表示用情報が含まれるウェブページを前記ウェブブラウザーからの要求に応じて作成するウェブページ作成手段と、前記ウェブブラウザーから利用者のログインを受け付けるログイン受付手段とを備えている画像形成装置であって、
前記ウェブページ作成手段は、前記要求が前記画像形成装置の設定情報および前記画像形成装置の状態情報の少なくとも一方の要求であって、前記ログイン受付手段によってログインが受け付けられた前記利用者による要求である場合、前記ログイン受付手段によってログインが受け付けられた前記利用者の識別情報である利用者情報に関連付けられた前記表示用情報が前記表示用情報入力手段によって入力されて前記記憶部に記憶されているとき、前記設定情報および前記状態情報の少なくとも一方とともに、前記ログイン受付手段によってログインが受け付けられた前記利用者の前記利用者情報に関連付けられて前記記憶部に記憶されている前記表示用情報が含まれる前記ウェブページを作成することを特徴とする画像形成装置。
【請求項２】
前記ウェブページ作成手段は、前記要求が前記設定情報および前記状態情報の少なくとも一方の要求であって、前記ログイン受付手段によってログインが受け付けられた前記利用者による要求である場合、前記ログイン受付手段によってログインが受け付けられた前記利用者の前記利用者情報に関連付けられた前記表示用情報と、特定の利用者の前記利用者情報に関連付けられていない前記表示用情報とが前記表示用情報入力手段によって入力されて前記記憶部に記憶されているとき、前記設定情報および前記状態情報の少なくとも一方とともに、前記ログイン受付手段によってログインが受け付けられた前記利用者の前記利用者情報に関連付けられて前記記憶部に記憶されている前記表示用情報と、特定の利用者の前記利用者情報に関連付けられておらずに前記記憶部に記憶されている前記表示用情報とが含まれる前記ウェブページを作成することを特徴とする請求項１に記載の画像形成装置。
【請求項３】
記憶部を備えている画像形成装置に、
外部の装置のウェブブラウザーに表示させるための情報であって任意のメッセージである表示用情報を外部から受信することによって入力される表示用情報入力ステップと、前記表示用情報入力ステップによって入力された前記表示用情報が含まれるウェブページを前記ウェブブラウザーからの要求に応じて作成するウェブページ作成ステップと、前記ウェブブラウザーから利用者のログインを受け付けるログイン受付ステップとを実行させ、
前記ウェブページ作成ステップは、前記要求が前記画像形成装置の設定情報および前記画像形成装置の状態情報の少なくとも一方の要求であって、前記ログイン受付ステップによってログインが受け付けられた前記利用者による要求である場合、前記ログイン受付ステップによってログインが受け付けられた前記利用者の識別情報である利用者情報に関連付けられた前記表示用情報が前記表示用情報入力ステップによって入力されて前記記憶部に記憶されているとき、前記画像形成装置が前記設定情報および前記状態情報の少なくとも一方とともに、前記ログイン受付ステップによってログインが受け付けられた前記利用者の前記利用者情報に関連付けられて前記記憶部に記憶されている前記表示用情報が含まれる前記ウェブページを作成するステップであることを特徴とする画像形成装置用プログラム。
【請求項４】
前記ウェブページ作成ステップは、前記要求が前記設定情報および前記状態情報の少なくとも一方の要求であって、前記ログイン受付ステップによってログインが受け付けられた前記利用者による要求である場合、前記ログイン受付ステップによってログインが受け付けられた前記利用者の前記利用者情報に関連付けられた前記表示用情報と、特定の利用者の前記利用者情報に関連付けられていない前記表示用情報とが前記表示用情報入力ステップによって入力されて前記記憶部に記憶されているとき、前記設定情報および前記状態情報の少なくとも一方とともに、前記ログイン受付ステップによってログインが受け付けられた前記利用者の前記利用者情報に関連付けられて前記記憶部に記憶されている前記表示用情報と、特定の利用者の前記利用者情報に関連付けられておらずに前記記憶部に記憶されている前記表示用情報とが含まれる前記ウェブページを作成することを特徴とする請求項３に記載の画像形成装置用プログラム。
【発明の詳細な説明】
【技術分野】
【０００１】
本発明は、外部の装置に表示させる情報を生成する画像形成装置に関する。
【背景技術】
【０００２】
従来、外部の装置から入力された情報を表示する表示部を備えている画像形成装置が知られている（特許文献１〜３参照。）。
【０００３】
特許文献１に記載された画像形成装置は、外部の装置としてのホスト装置に接続されている画像形成装置である。この画像形成装置は、エラーメッセージなどの固有のメッセージと、ユーザがホスト装置で作成したエラーメッセージなどのユーザ定義メッセージとを格納し、メッセージの表示要求があった場合に、固有のメッセージおよびユーザ定義メッセージの何れかを画像形成装置自身の表示部に表示するものである。
【０００４】
特許文献２に記載された画像形成装置は、外部の装置としてのホストコンピュータに接続されている複合機である。この複合機は、ホストコンピュータで登録されたメッセージを複合機自身の画面に表示するものである。
【０００５】
特許文献３に記載された画像形成装置は、外部の装置としてのＰＣに接続されている複写機などの画像形成装置である。この画像形成装置は、ユーザがＰＣで作成した会議の案内などのスケジュール情報、伝言情報、天気予報などのメッセージを画像形成装置自身の表示器に表示するものである。
【先行技術文献】
【特許文献】
【０００６】
【特許文献１】特開平１１−２４９７８１号公報
【特許文献２】特開２００１−３５８８７７号公報
【特許文献３】特開２００４−３４５１６１号公報
【発明の概要】
【発明が解決しようとする課題】
【０００７】
しかしながら、従来の画像形成装置においては、外部の装置から入力された情報を画像形成装置自身の表示部に表示するので、画像形成装置の表示部の表示を確認中の利用者以外の利用者に対して、外部の装置から入力された情報を表示することができないという問題がある。
【０００８】
そこで、本発明は、外部から入力された情報を遠隔地の利用者に視認させることができる画像形成装置を提供することを目的とする。
【課題を解決するための手段】
【０００９】
本発明の画像形成装置は、外部の装置のウェブブラウザーに表示させるための情報である表示用情報が外部から入力される表示用情報入力手段と、前記表示用情報入力手段によって入力された前記表示用情報が含まれるウェブページを前記ウェブブラウザーからの要求に応じて作成するウェブページ作成手段とを備えている画像形成装置であって、前記ウェブページ作成手段は、前記要求が前記画像形成装置の設定情報および前記画像形成装置の状態情報の少なくとも一方の要求である場合、前記設定情報および前記状態情報の少なくとも一方とともに前記表示用情報が含まれる前記ウェブページを作成することを特徴とする。
【００１０】
この構成により、本発明の画像形成装置は、外部から入力された表示用情報が含まれるウェブページを作成するので、外部から入力された表示用情報を外部の装置のウェブブラウザーに表示させて遠隔地の利用者に視認させることができる。
【００１１】
また、本発明の画像形成装置は、前記ウェブブラウザーから利用者のログインを受け付けるログイン受付手段を備えており、前記ウェブページ作成手段は、前記要求が前記ログイン受付手段によってログインが受け付けられた前記利用者による要求である場合、前記ログイン受付手段によってログインが受け付けられた前記利用者宛ての前記表示用情報が含まれる前記ウェブページを作成しても良い。
【００１２】
この構成により、本発明の画像形成装置は、外部の装置の利用者宛ての表示用情報を外部の装置のウェブブラウザーに表示させて利用者に視認させることができる。
【００１３】
また、本発明の画像形成装置の前記表示用情報入力手段は、前記表示用情報を外部から受信することによって入力されても良い。
【００１４】
この構成により、本発明の画像形成装置は、遠隔地から表示用情報が入力されることができる。
【００１５】
本発明の画像形成装置用プログラムは、画像形成装置に、外部の装置のウェブブラウザーに表示させるための情報である表示用情報が外部から入力される表示用情報入力ステップと、前記表示用情報入力ステップによって入力された前記表示用情報が含まれるウェブページを前記ウェブブラウザーからの要求に応じて作成するウェブページ作成ステップとを実行させ、前記ウェブページ作成ステップは、前記要求が前記画像形成装置の設定情報および前記画像形成装置の状態情報の少なくとも一方の要求である場合、前記画像形成装置が前記設定情報および前記状態情報の少なくとも一方とともに前記表示用情報が含まれる前記ウェブページを作成するステップであることを特徴とする。
【００１６】
この構成により、本発明の画像形成装置用プログラムを実行する画像形成装置は、外部から入力された表示用情報が含まれるウェブページを作成するので、外部から入力された表示用情報を外部の装置のウェブブラウザーに表示させて遠隔地の利用者に視認させることができる。
【発明の効果】
【００１７】
本発明の画像形成装置は、外部から入力された情報を遠隔地の利用者に視認させることができる。
【図面の簡単な説明】
【００１８】
【図１】本発明の一実施の形態に係るネットワークシステムのブロック図である。
【図２】図１に示すＭＦＰのブロック図である。
【図３】図１に示すＰＣのブロック図である。
【図４】表示用情報を登録するときの図１に示すＭＦＰの動作のフローチャートである。
【図５】表示用情報が含まれるウェブページを作成するときの図１に示すＭＦＰの動作のフローチャートである。
【発明を実施するための形態】
【００１９】
以下、本発明の一実施の形態について、図面を用いて説明する。
【００２０】
まず、本実施の形態に係るネットワークシステムの構成について説明する。
【００２１】
図１は、本実施の形態に係るネットワークシステム１０のブロック図である。
【００２２】
図１に示すように、ネットワークシステム１０は、画像形成装置であるＭＦＰ（Ｍｕｌｔｉｆｕｎｃｔｉｏｎ  Ｐｅｒｉｐｈｅｒａｌ）２０と、ＭＦＰ２０の外部の装置としてのＰＣ(Ｐｅｒｓｏｎａｌ  Ｃｏｍｐｕｔｅｒ)３０およびＰＣ４０とを備えている。ＭＦＰ２０、ＰＣ３０およびＰＣ４０は、ＬＡＮ(Ｌｏｃａｌ  Ａｒｅａ  Ｎｅｔｗｏｒｋ)またはインターネットなどのネットワーク１１を介して互いに通信可能に接続されている。
【００２３】
図２は、ＭＦＰ２０のブロック図である。
【００２４】
図２に示すように、ＭＦＰ２０は、ＭＦＰ２０全体を制御する制御部２１と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部２２と、利用者による種々の操作が入力されるボタンなどの入力デバイスである操作部２３と、種々の情報を表示するＬＣＤなどの表示デバイスである表示部２４と、用紙に印刷を実行する印刷デバイスであるプリンター２５と、原稿から画像を読み取る読取デバイスであるスキャナー２６と、図示していない外部のファクシミリ装置と公衆電話回線などの通信回線経由でファックス通信を行うファックスデバイスであるファックス通信部２７と、ネットワーク１１経由で外部の装置と通信を行うネットワーク通信デバイスであるネットワーク通信部２８とを備えている。
【００２５】
制御部２１は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２２に記憶されているプログラムを実行するようになっている。
【００２６】
記憶部２２は、ＭＦＰ２０用のプログラムである画像形成装置用プログラム２２ａと、利用者の識別情報である利用者情報２２ｂと、利用者のログイン用のパスワード２２ｃと、利用者の権限を規定する情報である権限情報２２ｄとを記憶している。なお、利用者情報２２ｂ、パスワード２２ｃおよび権限情報２２ｄは、利用者毎に記憶部２２に記憶されている。また、記憶部２２は、ＰＣ３０、４０などの外部の装置のウェブブラウザーに表示させるための情報である表示用情報２２ｅを記憶することができる。表示用情報２２ｅは、「本日は、計画停電のため、２時半にＭＦＰの電源を切断します。」などの任意のメッセージである。
【００２７】
なお、画像形成装置用プログラム２２ａは、ＭＦＰ２０の製造段階でＭＦＰ２０にインストールされていても良いし、ＣＤ(Ｃｏｍｐａｃｔ  Ｄｉｓｋ)、ＤＶＤ(Ｄｉｇｉｔａｌ  Ｖｅｒｓａｔｉｌｅ  Ｄｉｓｋ)などの記憶媒体から、または、ネットワーク１１上からＭＦＰ２０に追加でインストールされても良い。
【００２８】
制御部２１は、記憶部２２に記憶されている画像形成装置用プログラム２２ａを実行することによって、表示用情報２２ｅが外部から入力される表示用情報入力手段２１ａ、表示用情報入力手段２１ａによって入力された表示用情報２２ｅが含まれるウェブページをＰＣ３０、４０などの外部の装置のウェブブラウザーからの要求に応じて作成するウェブページ作成手段２１ｂ、および、ＰＣ３０、４０などの外部の装置のウェブブラウザーから利用者のログインを受け付けるログイン受付手段２１ｃとして機能する。
【００２９】
図３は、ＰＣ３０のブロック図である。
【００３０】
図３に示すように、ＰＣ３０は、ＰＣ３０全体を制御する制御部３１と、プログラムおよび各種のデータを記憶しているＨＤＤ（Ｈａｒｄ  Ｄｉｓｋ  Ｄｒｉｖｅ）などの記憶デバイスである記憶部３２と、利用者による種々の操作が入力されるマウスやキーボードなどの入力デバイスである操作部３３と、種々の情報を表示するＬＣＤ（Ｌｉｑｕｉｄ  Ｃｒｙｓｔａｌ  Ｄｉｓｐｌａｙ）などの表示デバイスである表示部３４と、ネットワーク１１経由で外部の装置と通信を行うネットワーク通信デバイスであるネットワーク通信部３５とを備えている。
【００３１】
制御部３１は、例えば、ＣＰＵと、プログラムおよび各種のデータを予め記憶しているＲＯＭと、ＣＰＵの作業領域として用いられるＲＡＭとを備えている。ＣＰＵは、ＲＯＭや記憶部３２に記憶されているプログラムを実行するようになっている。
【００３２】
制御部３１は、記憶部３２に記憶されているプログラムを実行することによって、操作部３３から入力された操作に応じてウェブページを表示部３４に表示するウェブブラウザー３１ａとして機能する。
【００３３】
なお、ＰＣ４０の構成は、ＰＣ３０の構成と同様であるので、詳細な説明を省略する。
【００３４】
次に、ネットワークシステム１０の動作について説明する。
【００３５】
＜表示用情報２２ｅの登録＞
ＰＣ３０の制御部３１のウェブブラウザー３１ａは、ＰＣ３０の利用者によってＭＦＰ２０へのアクセスの要求が操作部３３を介して入力されると、ＭＦＰ２０の記憶部２２に記憶されているログイン用のウェブページを表示部３４に表示する。
【００３６】
そして、ウェブブラウザー３１ａは、ＰＣ３０の利用者の利用者情報２２ｂおよびパスワード２２ｃの組み合わせが操作部３３を介して入力されると、入力された利用者情報２２ｂおよびパスワード２２ｃの組み合わせをネットワーク通信部３５を介してＭＦＰ２０に送信する。
【００３７】
ＭＦＰ２０の制御部２１のログイン受付手段２１ｃは、利用者情報２２ｂおよびパスワード２２ｃの組み合わせをネットワーク通信部２８を介して受信すると、その利用者情報２２ｂに対応する利用者のログインを受け付けて、ログインの成功をネットワーク通信部２８を介してＰＣ３０のウェブブラウザー３１ａに通知する。
【００３８】
次いで、ウェブブラウザー３１ａは、ＭＦＰ２０の外部の装置のウェブブラウザーに表示させるための表示用情報２２ｅが操作部３３を介して入力されると、入力された表示用情報２２ｅをネットワーク通信部３５を介してＭＦＰ２０に送信する。
【００３９】
ＭＦＰ２０の表示用情報入力手段２１ａは、表示用情報２２ｅをネットワーク通信部２８を介して受信することによって表示用情報２２ｅをＭＦＰ２０内に入力すると、図４に示す処理を開始する。
【００４０】
図４は、表示用情報２２ｅを登録するときのＭＦＰ２０の動作のフローチャートである。
【００４１】
図４に示すように、表示用情報入力手段２１ａは、ＭＦＰ２０内に入力した表示用情報２２ｅの送信元であるウェブブラウザー３１ａを介してログイン中の利用者が、表示用情報２２ｅの登録の権限を有しているか否かを、記憶部２２に記憶されている権限情報２２ｄに基づいて判断する（Ｓ１０１）。
【００４２】
表示用情報入力手段２１ａは、ログイン中の利用者が表示用情報２２ｅの登録の権限を有しているとＳ１０１において判断すると、表示用情報２２ｅを記憶部２２に記憶させて（Ｓ１０２）、図４に示す処理を終了する。
【００４３】
表示用情報入力手段２１ａは、ログイン中の利用者が表示用情報２２ｅの登録の権限を有していないとＳ１０１において判断すると、表示用情報２２ｅを記憶部２２に記憶させずに、図４に示す処理を終了する。
【００４４】
なお、ＰＣ３０のウェブブラウザー３１ａは、特定の利用者の利用者情報２２ｂに関連付けられた表示用情報２２ｅが操作部３３を介して入力されることができる。ＰＣ３０のウェブブラウザー３１ａは、特定の利用者の利用者情報２２ｂに関連付けられた表示用情報２２ｅが操作部３３を介して入力された場合、特定の利用者の利用者情報２２ｂに関連付けられた表示用情報２２ｅをネットワーク通信部３５を介してＭＦＰ２０に送信する。そして、ＭＦＰ２０の表示用情報入力手段２１ａは、図４に示す処理を実行して、特定の利用者の利用者情報２２ｂに関連付けられた表示用情報２２ｅを記憶部２２に記憶させる。
【００４５】
ＭＦＰ２０は、以上において外部のＰＣ３０から入力された表示用情報２２ｅを登録しているが、同様にＰＣ４０から入力された表示用情報２２ｅを登録することもできる。また、ＭＦＰ２０は、他の方法によって表示用情報２２ｅを登録することができるようになっていても良い。例えば、ＭＦＰ２０は、ＰＣ３０を介することなく、操作部２３を介して外部から入力された利用者情報２２ｂおよびパスワード２２ｃの組み合わせに基づいて上述した動作と同様にログイン受付手段２１ｃに利用者のログインを受け付けさせた後、操作部２３を介して外部から入力された表示用情報２２ｅを上述した動作と同様に表示用情報入力手段２１ａに登録させることもできる。
【００４６】
＜表示用情報２２ｅの表示＞
ＰＣ４０の制御部のウェブブラウザーは、ＰＣ４０の利用者によってＭＦＰ２０へのアクセスの要求がＰＣ４０の操作部を介して入力されると、ＭＦＰ２０の記憶部２２に記憶されているログイン用のウェブページを表示する。
【００４７】
そして、ＰＣ４０のウェブブラウザーは、ＰＣ４０の利用者の利用者情報２２ｂおよびパスワード２２ｃの組み合わせがＰＣ４０の操作部を介して入力されると、入力された利用者情報２２ｂおよびパスワード２２ｃの組み合わせをＰＣ４０のネットワーク通信部を介してＭＦＰ２０に送信する。
【００４８】
ＭＦＰ２０の制御部２１のログイン受付手段２１ｃは、利用者情報２２ｂおよびパスワード２２ｃの組み合わせをネットワーク通信部２８を介して受信すると、その利用者情報２２ｂに対応する利用者のログインを受け付けて、ログインの成功をネットワーク通信部２８を介してＰＣ４０のウェブブラウザーに通知する。
【００４９】
ＰＣ４０のウェブブラウザーは、ログインの成功の通知をＰＣ４０のネットワーク通信部を介してＭＦＰ２０から受信すると、ＭＦＰ２０の設定情報および状態情報をＰＣ４０のネットワーク通信部を介してＭＦＰ２０に要求する。
【００５０】
ＭＦＰ２０の制御部２１のウェブページ作成手段２１ｂは、ＰＣ４０のウェブブラウザーから設定情報および状態情報が要求されると、図５に示す処理を開始する。
【００５１】
なお、設定情報とは、ＭＦＰ２０のトレイの用紙サイズなど、ＭＦＰ２０に設定されている情報である。状態情報とは、印刷中の状態など、ＭＦＰ２０の状態を表す情報である。
【００５２】
図５は、表示用情報２２ｅが含まれるウェブページを作成するときのＭＦＰ２０の動作のフローチャートである。
【００５３】
図５に示すように、ウェブページ作成手段２１ｂは、特定の利用者を対象としていない表示用情報２２ｅが記憶部２２に記憶されているか否かを判断する（Ｓ１２１）。ここで、ウェブページ作成手段２１ｂは、特定の利用者の利用者情報２２ｂに関連付けられていない表示用情報２２ｅが記憶部２２に記憶されている場合、特定の利用者を対象としていない表示用情報２２ｅが記憶部２２に記憶されていると判断する。一方、ウェブページ作成手段２１ｂは、特定の利用者の利用者情報２２ｂに関連付けられていない表示用情報２２ｅが記憶部２２に記憶されていない場合、特定の利用者を対象としていない表示用情報２２ｅが記憶部２２に記憶されていないと判断する。
【００５４】
ウェブページ作成手段２１ｂは、特定の利用者を対象としていない表示用情報２２ｅが記憶部２２に記憶されているとＳ１２１において判断すると、ＭＦＰ２０に設定情報および状態情報を要求したウェブブラウザーを介してログイン中の利用者宛ての表示用情報２２ｅが記憶部２２に記憶されているか否かを判断する（Ｓ１２２）。ここで、ウェブページ作成手段２１ｂは、ＭＦＰ２０に設定情報および状態情報を要求したウェブブラウザーを介してログイン中の利用者の利用者情報２２ｂに関連付けられている表示用情報２２ｅが記憶部２２に記憶されている場合、ログイン中の利用者宛ての表示用情報２２ｅが記憶部２２に記憶されていると判断する。一方、ウェブページ作成手段２１ｂは、ＭＦＰ２０に設定情報および状態情報を要求したウェブブラウザーを介してログイン中の利用者の利用者情報２２ｂに関連付けられている表示用情報２２ｅが記憶部２２に記憶されていない場合、ログイン中の利用者宛ての表示用情報２２ｅが記憶部２２に記憶されていないと判断する。
【００５５】
ウェブページ作成手段２１ｂは、ログイン中の利用者宛ての表示用情報２２ｅが記憶部２２に記憶されているとＳ１２２において判断すると、ＭＦＰ２０の設定情報および状態情報と、記憶部２２に記憶されている、特定の利用者を対象としていない表示用情報２２ｅと、記憶部２２に記憶されている、ログイン中の利用者宛ての表示用情報２２ｅとが含まれるウェブページを作成して（Ｓ１２３）、図５に示す処理を終了する。したがって、ＰＣ４０のウェブブラウザーは、ＭＦＰ２０の設定情報および状態情報と、特定の利用者を対象としていない表示用情報２２ｅと、ログイン中の利用者宛ての表示用情報２２ｅとが含まれるウェブページをＰＣ４０の表示部に表示することができる。
【００５６】
ウェブページ作成手段２１ｂは、ログイン中の利用者宛ての表示用情報２２ｅが記憶部２２に記憶されていないとＳ１２２において判断すると、ＭＦＰ２０の設定情報および状態情報と、記憶部２２に記憶されている、特定の利用者を対象としていない表示用情報２２ｅとが含まれるウェブページを作成して（Ｓ１２４）、図５に示す処理を終了する。したがって、ＰＣ４０のウェブブラウザーは、ＭＦＰ２０の設定情報および状態情報と、特定の利用者を対象としていない表示用情報２２ｅとが含まれるウェブページをＰＣ４０の表示部に表示することができる。
【００５７】
ウェブページ作成手段２１ｂは、特定の利用者を対象としていない表示用情報２２ｅが記憶部２２に記憶されていないとＳ１２１において判断すると、ＭＦＰ２０に設定情報および状態情報を要求したウェブブラウザーを介してログイン中の利用者宛ての表示用情報２２ｅが記憶部２２に記憶されているか否かを判断する（Ｓ１２５）。
【００５８】
ウェブページ作成手段２１ｂは、ログイン中の利用者宛ての表示用情報２２ｅが記憶部２２に記憶されているとＳ１２５において判断すると、ＭＦＰ２０の設定情報および状態情報と、記憶部２２に記憶されている、ログイン中の利用者宛ての表示用情報２２ｅとが含まれるウェブページを作成して（Ｓ１２６）、図５に示す処理を終了する。したがって、ＰＣ４０のウェブブラウザーは、ＭＦＰ２０の設定情報および状態情報と、ログイン中の利用者宛ての表示用情報２２ｅとが含まれるウェブページをＰＣ４０の表示部に表示することができる。
【００５９】
ウェブページ作成手段２１ｂは、ログイン中の利用者宛ての表示用情報２２ｅが記憶部２２に記憶されていないとＳ１２５において判断すると、ＭＦＰ２０の設定情報および状態情報が含まれるウェブページを作成して（Ｓ１２７）、図５に示す処理を終了する。したがって、ＰＣ４０のウェブブラウザーは、ＭＦＰ２０の設定情報および状態情報が含まれるウェブページをＰＣ４０の表示部に表示することができる。
【００６０】
ＭＦＰ２０は、以上において記憶部２２に記憶されている表示用情報２２ｅが含まれるウェブページをＰＣ４０のウェブブラウザーに表示させているが、同様にＰＣ３０のウェブブラウザー３１ａに表示させることもできる。
【００６１】
以上に説明したように、ＭＦＰ２０は、外部から入力された表示用情報２２ｅが含まれるウェブページを作成するので、外部から入力された表示用情報２２ｅをＰＣ３０、４０などの外部の装置のウェブブラウザーに表示させて遠隔地の利用者に視認させることができる。
【００６２】
また、ＭＦＰ２０は、ＰＣ３０、４０などの外部の装置のウェブブラウザーからの要求がウェブブラウザーからログイン中の利用者による要求である場合、ログイン中の利用者宛ての表示用情報２２ｅが含まれるウェブページを作成するので、外部の装置の利用者宛ての表示用情報２２ｅを外部の装置のウェブブラウザーに表示させて利用者に視認させることができる。
【００６３】
なお、ＭＦＰ２０は、ウェブブラウザーを介してログイン中の利用者宛ての表示用情報２２ｅが含まれるウェブページを作成することができるようになっているが、特定の利用者を対象としていない表示用情報２２ｅのみを表示用情報２２ｅとして扱うようになっていても良い。
【００６４】
また、ＭＦＰ２０は、表示用情報２２ｅをＰＣ３０、４０などの外部の装置から受信することによって入力されることができるので、遠隔地から表示用情報２２ｅが入力されることができる。
【００６５】
なお、ＰＣ３０、４０のウェブブラウザーは、ＭＦＰ２０の設定情報および状態情報の両方をＭＦＰ２０に要求するようになっているが、ＭＦＰ２０の設定情報および状態情報の何れか一方をＭＦＰ２０に要求するようになっていても良い。ウェブブラウザーがＭＦＰ２０の設定情報および状態情報の何れか一方をＭＦＰ２０に要求する場合、ＭＦＰ２０は、設定情報および状態情報のうちウェブブラウザーから要求された情報が含まれるウェブページを作成するように図５に示す処理を実行する。
【００６６】
本発明の画像形成装置は、本実施の形態においてＭＦＰであるが、プリンター専用機など、ＭＦＰ以外の画像形成装置であっても良い。
【００６７】
本発明の外部の装置は、本実施の形態においてＰＣであるが、ＰＣ以外の装置であっても良い。
【符号の説明】
【００６８】
２０  ＭＦＰ（画像形成装置）
２１ａ  表示用情報入力手段
２１ｂ  ウェブページ作成手段
２１ｃ  ログイン受付手段
２２ａ  画像形成装置用プログラム
２２ｅ  表示用情報
３０  ＰＣ（外部の装置）
３１ａ  ウェブブラウザー
４０  ＰＣ（外部の装置）
【図１】
0005588398.tif 000002
【図２】
0005588398.tif 000003
【図３】
0005588398.tif 000004
【図４】
0005588398.tif 000005
【図５】
0005588398.tif 000006